(57)【要約】【課題】水切り材に対するジョイントの取り付けを効率良く行なえ、作業性を向上できるようにした建物の土台水切り装置を提供する。【解決手段】土台１と基礎２との間の換気用の通路を周方向に囲むように水切り材８が設けられ、建物の外側で下方に開口するように前記水切り材８に形成された通気孔８ｇより基礎２と土台１との間の通路を介して床下の換気を行なうようにした建物の土台水切り装置において、前記水切り材８の直線部の端部間を外側から覆い端部間の隙間を隠すためにジョイント１１，１２を備え、このジョイント１１，１２は全ての水切り材８が建物側に取り付けられた後で所定箇所で水切り材８に対し外側から係合させるように構成した。【選択図】    図１０
2006132246.tif 000002
【特許請求の範囲】
【請求項１】
土台と基礎との間の換気用の通路を周方向に囲むように水切り材が設けられ、建物の外側で下方に開口するように前記水切り材に形成された通気孔より基礎と土台との間の通路を介して床下の換気を行なうようにした建物の土台水切り装置において、前記水切り材の直線部の端部間を外側から覆い端部間の隙間を隠すためにジョイントを備え、このジョイントは全ての水切り材が建物側に取り付けられた後で所定箇所で水切り材に対し外側から係合させるように構成されていることを特徴とする建物の土台水切り装置。
【発明の詳細な説明】
【技術分野】
【０００１】
本発明は、建物の土台水切り装置に関するものである。
【背景技術】
【０００２】
建物の外壁を伝って流れ落ちる雨水を外壁の下端より外側に導き落下させるとともに基礎と土台との間の換気用の隙間から鼠や蛇などの床下への侵入を防止するために外壁の下端部内側で土台に取り付けられる水切り材は従来から種々知られている。このような水切り材は建物の外壁の出隅部、入隅部、途中部などにおいてジョイントにより接続され、つまり隣り合う水切り材の端部間の隙間を隠すべく隣り合う水切り材の端部にジョイントが設けられる。このジョイントとして例えば、特許文献１に開示されているようなジョイント（壁水切り用出隅板）が知られており、このジョイントは両端に水切り材の端部を嵌入させる溝部が形成されている。
【特許文献１】意匠登録第１１３３９２４号公報
【発明の開示】
【発明が解決しようとする課題】
【０００３】
上記特許文献１に記載のように両端に水切り材の端部を嵌入させる溝部が形成されたジョイントを使用する場合、ジョイントの溝部に水切り材の端部を嵌入させた状態で水切り材を釘打ちにより土台に取り付けているのが現状であり、作業効率が悪いという問題があった。
【０００４】
本発明の目的は、このような課題を解決するものであり、水切り材に対するジョイントの取り付けを効率良く行なえ、作業性を向上できるようにした建物の土台水切り装置を提供することにある。
【課題を解決するための手段】
【０００５】
本発明の請求項１に記載の建物の土台水切り装置は、土台と基礎との間の換気用の通路を周方向に囲むように水切り材が設けられ、建物の外側で下方に開口するように前記水切り材に形成された通気孔より基礎と土台との間の通路を介して床下の換気を行なうようにした建物の土台水切り装置において、前記水切り材の直線部の端部間を外側から覆い端部間の隙間を隠すためにジョイントを備え、このジョイントは全ての水切り材が建物側に取り付けられた後で所定箇所で水切り材に対し外側から係合させるように構成されていることを特徴とする。
【発明の効果】
【０００６】
以上のように、本発明の建物の土台水切り装置は、ジョイントは全ての水切り材が取り付けられた後で所定箇所で水切り材に対し外側から係合させるように構成されているので、水切り材に対するジョイントの取り付けを効率良く行なえ、作業性を向上できるようにした建物の土台水切り装置を提供することができる。
【発明を実施するための最良の形態】
【０００７】
以下、本発明の一実施の形態を、図１〜図１４に基づいて説明する。
図において、１は建物の土台で、木材からなり、コンクリート製の基礎２の上に基礎２の長さ方向に適当間隔おきに配設した樹脂製の基礎パッキン３を介して配設されていて、土台１と基礎２との間に換気用の通路を形成している。４は土台１の上に立設された柱である。５は土台１および柱４の外側で建物の周囲を覆う合板などからなるパネル状あるいはシート状の透湿材、６は透湿材５の外側に設けられる縦胴縁で、この縦胴縁６の外側に最終的に外壁７が設けられる。縦胴縁６は透湿材５と外壁７との間に壁内換気用の空間を形成するためのものである。
【０００８】
ところで、縦胴縁６の外側に外壁７が取り付けられる前に、縦胴縁６の下端部には水切り材８が釘９打ちにより取り付けられる。水切り材８は土台１と基礎２との間の換気用の通路を周方向に囲むように設けられるもので、多数本の水切り材８が用意されて土台１と基礎２との間の換気用の通路を周方向に包み込む。水切り材８はアルミの押出しにより長尺状に作られており、上端が前記縦胴縁６の下端外面に当接し縦胴縁６に釘９打ちされる上下方向に向く板部８ａと、この板部８ａの下端から外向きに緩やかな角度で斜め下向きに繋がる板部８ｂと、この板部８ｂの先端から真下向きに繋がる板部８ｃと、この板部８ｃの下端から建物側に向ってほぼ水平に繋がる板部８ｄと、この板部８ｄの先端から建物側に向って緩やかな角度で斜め上向きに繋がり先端に基礎２の上端角部に近接する上下方向に向く爪片８ｅを備えた板部８ｆと、前記板部８ｄの横長さ方向適当間隔おきに形成された下方に開口する通気孔８ｇと、前記８ａと板部８ｂとの繋がり部外側に形成された深さの浅い凹部８ｈと、前記板部８ｄと板部８ｆとの繋がり部の下側に突出するリブ８ｉとを備えている。
【０００９】
なお図中、１０は前記基礎２の表面に設けられる化粧モルタル層で、この化粧モルタル層１０の上端は前記爪片８ｅと板部８ｆとの繋がり部に接する。
ところで、水切り材８の直線部の端部間を外側から覆い端部間の隙間を隠すために直線ジョイント１１が使用され、出隅の水切り材８の端部間の隙間を外側から隠すために出隅ジョイント１２が使用される。さらに、建物の出入り口部分などにおいて水切り材８の連続が途絶える部分において水切り材８の端部を隠すときには小口蓋１３が使用される。これら、直線ジョイント１１、出隅ジョイント１２、小口蓋１３はそれぞれアルミの押出しにより作られていて、それぞれ前記水切り材８の上下方向に向く板部８ａに当接する板部１１ａ、１２ａ、１３ａと、この板部１１ａ、１２ａ、１３ａから水切り材８の板部８ｂ、板部８ｃ、板部８ｄ、板部８ｆを包むように設けられた板部１１ｂ、１２ｂ、１３ｂと、この板部１１ｂ、１２ｂ、１３ｂの下端部における内面に形成され前記リブ８ｉに係止する爪部１１ｃ、１２ｃ、１３ｃと、前記板部１１ａ、１２ａ、１３ａと板部１１ｂ、１２ｂ、１３ｂとの繋がり部に形成され前記凹部８ｈに係止する爪部１１ｄ、１２ｄ、１３ｄとを備えている。そして、直線ジョイント１１においては板部１１ｂの下端部における中央部に切り起こし片１１ｅが形成され、水切り材８の直線部の端部間に切り起こし片１１ｅを位置させて水切り材８の長さ方向の動きを止めるようになっている。また、出隅ジョイント１２は中央部が溶接にて接続されて平面形状がＬ型に作られている。さらに、小口蓋１３は一端に水切り材８の端部を隠すための蓋板１３ｅが溶接にて取り付けられている。これら、直線ジョイント１１、出隅ジョイント１２、小口蓋１３はそれぞれ全ての水切り材８が縦胴縁６の下端部に取り付けられた後で所定箇所で水切り材８に対し外側から係合させるようになっている。この場合、直線ジョイント１１および小口蓋１３は図１１矢印ａ方向から水切り材８に対し係合され、出隅ジョイント１２は図１１矢印ｂ方向から水切り材８に対し係合される。
【００１０】
以上のように縦胴縁６に取り付けられた水切り材８は前記化粧モルタル層１０から外側に突出し、水切り材８の下端の板部８ｄの通気孔８ｇは化粧モルタル層１０の外面と平行に並ぶようになり、また水切り材８の板部８ｂおよび板部８ｃは前記外壁７の下方に位置し、この水切り材８の板部８ｂおよび板部８ｃにより外壁７を伝って流れ落ちる雨水を外壁７の下端より外側に導き落下させるとともに建物の外側で下方に開口する通気孔８ｇにより基礎２と土台１との間の通路を介して床下の換気を行なうことができる。
【００１１】
以上、図面に基づく実施の形態について述べたが、縦胴縁６を設けずに横胴縁を設ける建物において下端に位置する横胴縁に水切り材８を取り付けるようにしても良い。また、水切り材８は建物の入隅部においても水切り材８間の隙間をジョイントで隠すようにすることもできる。
【図面の簡単な説明】
【００１２】
【図１】本発明の一実施の形態における建物の土台水切り装置に使用される水切り材の側面図である。
【図２】同建物の土台水切り装置に使用される直線ジョイントの側面図である。
【図３】同直線ジョイントの平面図である。
【図４】同建物の土台水切り装置に使用される出隅ジョイントの側面図である。
【図５】同出隅ジョイントの平面図である。
【図６】同建物の土台水切り装置に使用される小口蓋の側面図である。
【図７】同小口蓋の平面図である。
【図８】同建物の土台水切り装置に使用される水切り材取り付け状態を示す斜視図である。
【図９】同建物の土台水切り装置に使用される水切り材取り付け状態を示す縦断面図である。
【図１０】同建物の土台水切り装置の水切り材にジョイントを結合させた状態を示す斜視図である。
【図１１】同建物の土台水切り装置の配設部の平面図である。
【図１２】図１１のＡ−Ａ断面図である。
【図１３】図１１のＢ−Ｂ断面図である。
【図１４】図１１のＣ−Ｃ矢視図である。
【符号の説明】
【００１３】
１      土台
２      基礎
３      基礎パッキン
４      柱
５      透湿材
６      縦胴縁
７      外壁
８      水切り材
８ａ    板部
８ｂ    板部
８ｃ    板部
８ｄ    板部
８ｅ    爪片
８ｆ    板部
８ｇ    通気孔
８ｈ    凹部
８ｉ    リブ
９      釘
１０      化粧モルタル層
１１      直線ジョイント
１１ａ    板部
１１ｂ    板部
１１ｃ    爪部
１１ｄ    爪部
１１ｅ    切り起こし片
１２      出隅ジョイント
１２ａ    板部
１２ｂ    板部
１２ｃ    爪部
１２ｄ    爪部
１３      小口蓋
１３ａ    板部
１３ｂ    板部
１３ｃ    爪部
１３ｄ    爪部
１３ｅ    蓋板
【図１】
2006132246.tif 000003
【図２】
2006132246.tif 000004
【図３】
2006132246.tif 000005
【図４】
2006132246.tif 000006
【図５】
2006132246.tif 000007
【図６】
2006132246.tif 000008
【図７】
2006132246.tif 000009
【図８】
2006132246.tif 000010
【図９】
2006132246.tif 000011
【図１０】
2006132246.tif 000012
【図１１】
2006132246.tif 000013
【図１２】
2006132246.tif 000014
【図１３】
2006132246.tif 000015
【図１４】
2006132246.tif 000016